(57)【要約】【課題】インターネットに接続可能なテレビ放送受信機において、インターネット接続に関して視聴年齢制限の設定をより簡易的に行える技術が求められている。【解決手段】テレビ放送受信機１０の視聴制限制御部４０は、テレビ機能部２０とインターネット機能部３０の両機能においける視聴制限に関して、その設定をしたり、視聴制限の対象であるかの判断を行ったりする。そのために、視聴制限制御部４０は、視聴年齢制限の年齢を設定する年齢制限設定部４１と、設定した情報を記憶する年齢制限情報格納部４２と、テレビ放送の番組だけでなくウェブページが視聴年齢制限の対象であるかを判断する年齢制限判定部４３とを備える。【選択図】図１
2009021828.tif 000002
【特許請求の範囲】
【請求項１】
インターネットに接続してウェブページを閲覧可能なテレビ放送受信機における視聴制限方法であって、
接続先のウェブページについて、視聴制限の対象となるコンテンツが含まれているかを解析する解析工程と、
前記解析工程の解析結果とテレビ放送受信機放の機能として設定されている視聴制限とを比較して、前記接続先のウェブページが表示可能なページであるか否かを判定する判定工程と、
を有することを特徴とする視聴制限方法。
【請求項２】
前記テレビ放送受信機の機能としての視聴に関する前記視聴制限の設定は、視聴対象の年齢に関する設定であることを特徴とする請求項１に記載の視聴制限方法。
【請求項３】
前記解析工程は、前記接続先のウェブページの視聴制限年齢に関する情報を取得することを特徴とする請求項１又は２に記載の視聴制限方法。
【請求項４】
インターネットに接続してウェブページを閲覧可能なテレビ放送受信機であって、
テレビ放送受信機の視聴に関する視聴制限の設定を記憶する視聴制限情報格納部と、
ウェブページに接続したときに、前記ウェブページに含まれる視聴制限の対象となるコンテンツを抽出するページ解析部と、
前記ページ解析部において抽出されたコンテンツから推定する視聴制限のレベルと、前記視聴制限情報格納部に記憶されている前記視聴制限のレベルとを比較して、前記ウェブページが視聴制限の対象であるか否かを判定する判定部と、
前記判定部が、前記ウェブページが視聴制限の対象であると判定したときに、前記ウェブページの表示を制限するページ表示部と、
を備えることを特徴とするテレビ放送受信機。
【発明の詳細な説明】
【技術分野】
【０００１】
本発明は、視聴制限方法及びテレビ放送受信機に係り、特にインターネットに接続可能なテレビ放送受信機においてウェブページの視聴制限方法及びそのような視聴制限の機能を有するテレビ放送受信機に関する。
【背景技術】
【０００２】
ウェブ上には様々なコンテンツが溢れており、ユーザは簡単にアクセス可能となっている。コンテンツによっては暴力シーン等が多く含んでおり、子供に視聴させたくないウェブページもある。
【０００３】
パーソナル・コンピュータのウェブブラウザは、上述のように、子供などに視聴させたくないウェブページをブロックする機能を追加で装備可能となっており、ユーザはウェブブラウザの所定の設定項目で、視聴制限に関する設定を行う。
【０００４】
そして、視聴制限を効果的に実行するために、様々な技術が提案されている。例えば、公序良俗に反する蓋然性の高いウェブページ等のアドレスを契約プロバイダーのデータベースに登録し、ユーザであるクライアントが、そのデータベースに登録されているアドレスにアクセスしたときに、表示しないなどの制限を行う技術がある（特許文献１参照）。
【０００５】
また、ユーザがＵＲＬにアクセスするときに、ユーザは一旦所定のルック・アップサーバにアクセスし、アクセスを希望するＵＲＬが閲覧制限の対象である場合には、ユーザのアクセスを許可しない技術もある（特許文献２参照）。
【０００６】
また、公知技術として、ウェブページを構成するためのＨＴＭＬ文書のヘッダー領域に、あらかじめ視聴制限レベルを示すＰＩＣＳ（Platform for Internet Content Selection）−Ｌａｂｅｌと呼ばれる識別子を組み込み、ブラウザ側がその識別子を参照して、ユーザの閲覧を制限する技術もある。
【特許文献１】特開２００２−１１６９５８号公報
【特許文献２】特開２００５−１０７８３１号公報
【発明の開示】
【発明が解決しようとする課題】
【０００７】
ところで、上記特許文献１及び２に開示の技術や公知技術によれば、パーソナル・コンピュータにおける視聴制限は、比較的有効に行うことができる。しかし、パーソナル・コンピュータの設定は、ユーザによっては非常に難しいことがある。したがって、テレビ放送受信機にインターネット接続機能を付加した装置にあっては、ユーザはテレビ放送受信機の視聴に関して視聴制限設定を行ってもインターネット接続機能に関しては、設定しなかったり設定を忘れてしまうこともある。
【０００８】
本発明の目的は、上記問題点に鑑み、インターネットに接続してウェブページを閲覧可能なテレビ放送受信機において、テレビ放送受信機の機能とウェブ閲覧機能のいずれに対しても有効な視聴制限を簡易的に設定する技術を提供することにある。
【課題を解決するための手段】
【０００９】
本発明の有る態様は、視聴制限方法に関する。この方法は、インターネットに接続してウェブページを閲覧可能なテレビ放送受信機における視聴制限方法であって、接続先のウェブページについて、視聴制限の対象となるコンテンツが含まれているかを解析する解析工程と、前記解析工程の解析結果とテレビ放送受信機の機能として設定されている視聴制限と比較して、前記接続先のウェブページが表示可能なページであるか否かを判定する判定工程とを有する。
また、前記テレビ放送受信機の機能としての視聴に関する前記視聴制限の設定は、視聴対象の年齢に関する設定であってもよい。
また、前記解析工程は、前記接続先のウェブページの視聴制限年齢に関する情報を取得してもよい。
本発明の別の態様は、テレビ放送受信機に関する。このテレビ放送受信機は、インターネットに接続してウェブページを閲覧可能なテレビ放送受信機であって、テレビ放送受信機の視聴に関する視聴制限の設定を記憶する視聴制限情報格納部と、ウェブページに接続したときに、前記ウェブページに含まれる視聴制限の対象となるコンテンツを抽出するページ解析部と、前記ページ解析部において抽出されたコンテンツから推定する視聴制限のレベルと、前記視聴制限情報格納部に記憶されている前記視聴制限のレベルとを比較して、前記ウェブページが視聴制限の対象であるか否かを判定する判定部と、前記判定部が、前記ウェブページが視聴制限の対象であると判定したときに、前記ウェブページの表示を制限するページ表示部とを備える。
【発明の効果】
【００１０】
本発明によれば、インターネットに接続してウェブページを閲覧可能なテレビ放送受信機において、テレビ放送受信機の機能として設定した視聴制限をウェブ閲覧機能にも適用するようにしたので、ユーザは視聴制限の設定を簡易的に複数機能に設定できる。
【発明を実施するための最良の形態】
【００１１】
つぎに、本発明を実施するための最良の形態（以下、「実施形態」という）を図面を参照して具体的に説明する。本実施形態では、インターネットに接続しウェブページを表示可能なテレビ放送受信機において、テレビ放送受信機の機能として設定した視聴制限のレベルを、ウェブページ閲覧に対しても適用する。つまり、テレビ放送受信機の機能として設定された視聴制限のレベルと、選択されたウェブページのコンテンツから推定されるウェブページの視聴制限レベルとを比較し、ウェブの視聴制限レベルがテレビ放送受信機機能に設定されている視聴制限レベルより低い場合に、そのウェブページの表示を制限する。なお、本実施形態では、視聴制限レベルとして、「年齢」を用いるがこれに限る趣旨ではなく、所定のグループに分けたレベルを用いてもよい。
【００１２】
図１は、本実施形態に係るテレビ放送受信機１０の機能ブロック図である。テレビ放送受信機１０は、テレビ放送受信機のテレビ機能部２０と、インターネット機能部３０と、出力部１２とを備える。テレビ放送受信機１０は、さらに、リモコンやキーボード、マウス等の操作手段１５によるテレビ放送受信機１０への操作を受け付けるインタフェイス部１４や、テレビ放送受信機１０の各構成要素の動作を統括的に制御する主制御部１３とを備える。主制御部１３や後述の視聴制限制御部４０等の各構成要素は、例えば、ＣＰＵ（中央演算装置）等のＬＳＩ（大規模集積回路）やメモリで構成され、そのメモリに記憶されたプログラムらが実行されることで、その機能が実現される。
【００１３】
テレビ機能部２０は、チューナ２１と、制限情報取得部２２と、映像音声処理部２３とを備える。チューナ２１は、アンテナ１１に接続されており、例えば地上デジタル放送を受信し及び復号する。
【００１４】
制限情報取得部２２は、復号した地上デジタル放送の番組のＴＳパケットに含まれるＰＳＩ（Program Specific Information）に記述されているパレンタルレートを抽出する。パレンタルレートとは、年齢視聴制限レートとも言い、年齢に基づいた視聴制限のレベルを表すものである。
【００１５】
映像音声処理部２３は、チューナ２１で復号された画像データと音声データとを同期させて出力部１２に出力する。また、映像音声処理部２３は画像データを出力するときに、必要に応じてデータ放送の内容や、選択されているチャンネル番号、時刻などの表示を番組の画像データに追加したり加工したりする。なお、出力部１２は、画像データを表示する表示部や音声データを出力するスピーカを備える。
【００１６】
インターネット機能部３０は、ネットワーク接続部３１と、ウェブブラウザ３５とを備える。ネットワーク接続部３１は、ネットワーク接続インタフェイスを備え、インターネット５０に接続する。
【００１７】
ウェブブラウザ３５は、ページ解析部３２と、ページ表示部３３とを備える。ページ解析部３２は、ウェブページに接続したときに、そのページのＨＴＭＬ（Hyper Text Markup Language）文書や画像データなどに応じて解析する。さらにページ解析部３２は、パレンタル機能の一つとして、視聴年齢制限の判断基準となる所定のコンテンツ、例えば、テキスト中の単語や画像データなどを抽出し、その単語の数や全体の単語数に対する比率などを求める。
【００１８】
ページ表示部３３は、ページ解析部３２の解析結果をもとに文字や画像をブラウザの表示領域に適切に配置し、又は文字の書式を調整したりするなどして、最終的に表示を行うレンダラーとして機能する。
【００１９】
視聴制限制御部４０は、テレビ機能部２０とインターネット機能部３０の両機能における視聴制限に関して、その設定をしたり、視聴制限の対象であるかの判断を行ったりする。そのために、視聴制限制御部４０は、年齢制限設定部４１と、年齢制限情報格納部４２と、年齢制限判定部４３とを備える。
【００２０】
年齢制限設定部４１は、テレビ機能部２０における年齢制限のある番組に関して、視聴制限のレベルとして年齢を設定する。図２は、視聴制限の年齢の設定画面の一例を模式的に示している。まず、ユーザは操作手段１５であるリモコンなどを操作して、メニュー画面を呼出し、「デジタル設定」項目の中から「視聴年齢設定」画面を表示させる。
【００２１】
ユーザは、まず第１項目Ａ１の欄に、視聴制限をする年齢（数字）を入力する。図中では、「１８歳」以下を視聴制限する旨が設定されている。なお、視聴制限を設定しない場合は、ユーザは「無制限」ボタンを選択する。デフォルトでは、無制限に設定してもよいし、例えば、「２０歳」に設定してもよい。
【００２２】
つぎに、ユーザは、第２項目Ａ２において、第１項目Ａ１に設定した視聴制限をインターネット接続にも適用するか否かを選択する。図中では、「適用する」旨が選択されている。
【００２３】
最後にユーザは、第３項目Ａ３において、暗証番号を入力後、「ＯＫ」ボタンを押下することで、視聴年齢制限の設定が完了する。
【００２４】
年齢制限情報格納部４２は、年齢制限設定部４１で設定した内容とともに、インターネットに接続に適用するときのキーワードも、設定された視聴制限の年齢に関連づけて記憶する。デジタル放送のテレビ放送番組の視聴制限については、上述の通り、ＴＳパケットに含まれるＰＳＩのパレンタルレートを参照することで行っている。
【００２５】
一方、ウェブページに関しては、パレンタルレートに相当するＰＩＣＳ−Ｌａｂｅｌ等のような記述子を用いることはまだ普及していない。したがって、ウェブページを解析して、視聴年齢制限の対象となるウェブページであるかを判断する必要がある。そこで、判断基準として、例えば、ウェブに「１８歳以上対象」といった文字や画像を利用する。
【００２６】
また、ウェブページに含まれている特定の単語、例えば「戦争」「銃」等と言った暴力シーンに関連していることが多い単語が含まれているときには、視聴年齢制限の対象とする。なお図示はしていないが、画像データや音声データも、視聴年齢制限の対象の判断要素として含まれてもよい。その場合、ページ解析部３２が、例えば公知のマッチング手法等を用いて、視聴年齢制限の対象であるかを判断する。
【００２７】
図３は、年齢制限情報格納部４２に記憶されている設定情報に関する設定テーブルの例を示している。このテーブルは、年齢制限設定部４１で、視聴年齢制限の対象として「１８歳以下」が選択され、さらに、その視聴年齢制限をインターネット接続についても適用することが選択されていることを示している。
【００２８】
例えば、年齢が「２０歳」の行では、テレビ放送受信機及びインターネットの両項目とも「−」が記載され、視聴年齢制限の対象でないことを示している。一方、年齢が「１８歳」の行では、テレビ放送受信機及びインターネットの両項目とも「○」が記載され、視聴年齢制限の対象であることを示している。そして、視聴年齢制限の対象が「１８歳以下」であるので、１８歳よりも若い、１７歳以下の項目も全て「○」が記憶される。
【００２９】
さらに、インターネットの欄には、サブ項目として、「キーワード」欄が設けられている。このキーワード欄には、ウェブページに含まれる単語で、視聴年齢制限の対象の判断基準に使用する単語が記載されている。例えば、「１８歳」についてみると、「戦争」「銃」「暴力」の３つの単語が記載されている。ウェブページにこれら単語が含まれる場合には、そのウェブページは、視聴年齢制限の対象ページと判断される。なお、キーワードとしてあげられている単語が、一つでも含んでいた場合に、視聴年齢制限の対象と判断してもよいし、所定数、例えば５語以上含まれているときに視聴年齢制限の対象と判断してもよい。また、所定数の代わりに、ウェブページに含まれる全単語に占めるキーワードの比率等を判断の基準としてもよく、例えば、キーワードの比率が５％以上のときに、視聴年齢制限の対象であると判断する。
【００３０】
なお、上述の設定テーブルのキーワードは、年齢毎にデフォルトで所定の単語が登録されている。そして、視聴制限制御部４０がネットワーク接続部３１を介してサーバ５１にアクセスして、サーバ５１に記憶されている所定のデータベースから最新のキーワードに更新するようにしてもよい。さらに、ユーザが追加で設定可能としてもよいし、全てのキーワードをユーザが設定する構成であってもよい。
【００３１】
そして、年齢制限判定部４３は、テレビ機能部２０については、制限情報取得部２２が取得したＰＳＩのパレンタルレートと、年齢制限情報格納部４２に記憶されている上記の設定テーブルを比較して、ユーザがチャンネルを切り替えて選択した番組、又は同じチャンネルで新たに始まるが番組が、視聴年齢制限の対象であるか否かを判断し、視聴年齢制限の対象番組の場合、警告画面を表示したり表示を行わない。またインターネット機能部３０については、年齢制限判定部４３は、ページ解析部３２の解析結果と、年齢制限情報格納部４２に記憶されている設定テーブルを比較して、ユーザがブラウザ画面で選択したウェブページが、視聴年齢制限の対象であるか否かを判断する。
【００３２】
以上の構成による、テレビ放送受信機１０のインターネット機能部３０における視聴年齢制限に関する動作について、図４に示すフローチャートをもとに説明する。
【００３３】
ユーザが、ウェブブラウザ３５を起動させ、ウェブページの閲覧処理が開始すると（Ｓ１０）、年齢制限判定部４３が年齢制限情報格納部４２を参照して、テレビ機能部２０に視聴年齢制限が設定されているかを判断する（Ｓ１２）。
【００３４】
テレビ機能部２０に視聴年齢制限が設定されていない場合（Ｓ１２のＮ）、年齢制限判定部４３は、ユーザが指定したウェブページを閲覧可能と判断し（Ｓ１４）、その結果を受けて、インターネット機能部３０のページ表示部３３は、そのウェブページを出力部１２に表示する（Ｓ１６）。
【００３５】
Ｓ１２の処理で、テレビ機能部２０に視聴年齢制限が設定されていると判断した場合（Ｓ１２のＹ）、ページ解析部３２は、ユーザが指定したウェブページの情報解析する（Ｓ１８）。つまり、ページ解析部３２は、上述のように、そのウェブページに、例えばアクセス対象を限定する年齢に関する表記、例えば「１８歳未満禁止」のような表記や、年齢制限情報格納部４２の設定テーブルに記憶されているキーワードの抽出を行う。
【００３６】
そして、年齢制限判定部４３は、ユーザが指定したウェブページの閲覧対象年齢を決定し（Ｓ２０）、年齢制限情報格納部４２を参照し、テレビ機能部２０に設定されている視聴年齢制限を取得して（Ｓ２２）、テレビ機能部２０に設定されている視聴年齢制限の対象年齢と、Ｓ２０の処理で決定したウェブページの閲覧対象年齢とを比較する（Ｓ２４）。
【００３７】
そこでウェブページの閲覧対象年齢がテレビ機能部２０に設定されている視聴年齢制限の対象年齢より低い場合（Ｓ２６のＹ）、年齢制限判定部４３は、ユーザが指定したウェブページを閲覧可能と判断し（Ｓ１４）、ページ表示部３３は、そのウェブページを出力部１２に表示する（Ｓ１６）。
【００３８】
一方、ウェブページの閲覧対象年齢がテレビ機能部２０に設定されている視聴年齢制限の対象年齢以上である場合（Ｓ２６のＮ）、年齢制限判定部４３は、ユーザが指定したウェブページを視聴年齢制限の対象ページであると判断し（Ｓ２８）、ページ表示部３３は、そのウェブページを出力部１２に表示させず、例えば、図５に示すように視聴年齢制限が設定されている旨及び設定解除のためのパスワード入力を要求する警告画面を表示する（Ｓ３０）。
【００３９】
図５に示した画面において、ユーザが入力したパスワードが一致した場合（Ｓ３２のＹ）、年齢制限判定部４３は、ユーザが指定したウェブページを閲覧可能と判断し（Ｓ１４）、ページ表示部３３は、そのウェブページを出力部１２に表示する（Ｓ１６）。
【００４０】
ユーザが入力したパスワードが不一致または所定期間ユーザの操作がない場合（Ｓ３２のＮ）、年齢制限判定部４３は、ユーザが指定したウェブページを閲覧不可と最終判断し、その旨をインターネット機能部３０のページ表示部３３に通知し、ページ表示部３３は、ユーザが指定したウェブページを表示せず、その前のウェブページを表示する（Ｓ３４）。そして、ウェブブラウザ３５は、起動中において、このフローによるＳ１８以降の処理を継続して実行する。
【００４１】
以上、本実施形態によれば、テレビ放送受信機１０のテレビ機能部２０に設定した視聴年齢制限をインターネット機能部３０においても連動して利用できるため、ユーザは、一度の設定で、テレビ機能部２０とインターネット機能部３０の両方に視聴年齢制限を設定することができる。一般には、ウェブブラウザ３５に視聴年齢制限を設定することが煩わしいことが多いため、設定が適正に行われなかったり、設定し忘れたりすることがあるが、本実施形態によれば、そのような誤設定や未設定となってしまうことを防止できる。
【００４２】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００４３】
例えば、テレビ機能部２０において、ＰＰＶ（Pay Per View）の番組の閲覧を制限する設定がなされている場合に、視聴年齢制限が設定されていない場合であっても、例えば、年齢制限判定部４３がユーザが指定したウェブページが視聴年齢制限の対象であるか否かを判定してもよい。また、ＰＰＶの番組閲覧制限が設定されている場合における、ウェブページの閲覧制限対象として、通信販売のページ等、料金の支払いが発生する蓋然性の高いページとしてもよい。
【００４４】
また、実施形態では、ユーザが選択したウェブページを解析して、視聴年齢制限の対象ページであるかを、年齢制限判定部４３が判定した。しかしそれに限らず、ユーザの選択前に、既に表示されているウェブページからリンクしているウェブページを予め解析し、視聴年齢制限の対象であると判断した場合には、ページ表示部３３は、そのウェブページへのリンクをアクティブにしない、つまり、選択できないようにしてもよい。
【図面の簡単な説明】
【００４５】
【図１】本実施形態に係る、視聴年齢制限が設定可能なテレビ放送受信機の機能ブロック図である。
【図２】本実施形態に係る、テレビ放送受信機に表示される視聴年齢制限の年齢の設定画面の一例を示した図である。
【図３】本実施形態に係る、テレビ放送受信機の年齢制限情報格納部に記憶されている設定情報に関する設定テーブルの例を示した図である。
【図４】本実施形態に係る、テレビ放送受信機のインターネット機能部における視聴年齢制限に関する動作を示すフローチャートである。
【図５】本実施形態に係る、視聴年齢制限の対象のウェブページにアクセスしたときに表示される警告画面の一例を示した図である。
【符号の説明】
【００４６】
１０  テレビ放送受信機
１１  アンテナ
１２  出力部
１３  主制御部
１４  インタフェイス部
１５  操作手段
２０  テレビ機能部
２１  チューナ
２２  制限情報取得部
２３  映像音声処理部
３０  インターネット機能部
３１  ネットワーク接続部
３２  ページ解析部
３３  ページ表示部
３５  ウェブブラウザ
４０  視聴制限制御部
４１  年齢制限設定部
４２  年齢制限情報格納部
４３  年齢制限判定部
５０  インターネット
５１  サーバ
【図１】
2009021828.tif 000003
【図２】
2009021828.tif 000004
【図３】
2009021828.tif 000005
【図４】
2009021828.tif 000006
【図５】
2009021828.tif 000007